(57)【要約】【課題】完成されたキャビネット本体内のレール機構部に、簡便かつ強固に扉を後付することのできる扉取付け構造を提供する。【解決手段】  キャビネットにおける懸垂スライド式扉の取付け構造であって、扉１裏面に固定されたオス型部材２の鉤型突起片２２が、キャビネット本体４内のレール機構部５に固定されたメス型部材３の開口部３１に差し込み係止されている。【選択図】図１
2007315014.tif 000002
【特許請求の範囲】
【請求項１】
キャビネットにおける懸垂スライド式扉の取付け構造であって、扉裏面に固定されたオス型部材の鉤型突起片が、キャビネット本体内のレール機構部に固定されたメス型部材の開口部に差し込み係止されていることを特徴とする扉取付け構造。
【請求項２】
メス型部材が、垂直面に開口部を有することを特徴とする請求項１の扉取付け構造。
【請求項３】
メス型部材が段付折曲片であり、曲げ角部に開口部を有することを特徴とする請求項１の扉取付け構造。
【請求項４】
オス型部材の鉤型突起片とメス型部材とがネジ固定されていることを特徴とする請求項１の扉取付け構造。
【発明の詳細な説明】
【技術分野】
【０００１】
本願発明は、キャビネットにおける懸垂スライド式扉の取付け構造に関する。
【背景技術】
【０００２】
従来、観音開き等のスイング式扉を有するキャビネットの場合には、ヒンジ結合等による扉の取付け作業が容易であるため、キャビネット本体を設置したのち、現場で扉の後付け施工が行われている。このため、扉がない状態でキャビネット本体の搬入や設置作業を容易に行うことができる。
【０００３】
一方、懸垂スライド式扉を有するキャビネットの場合には、通常は扉がキャビネット本体に設置された状態で搬入される。レール機構部への扉の取付け構造が複雑であるため、レール機構部に扉を取付けた後、天板を取付けるなどしてキャビネット本体を完成させる必要があるからである（例えば、特許文献１など）。
【０００４】
しかしながら、このような扉付きのキャビネットは、扉重量等により搬入作業や設置作業が困難であるといった問題点を有していた。
【０００５】
そこで、懸垂スライド式扉の後付構造が検討されているが、箱形成形されたキャビネット内に収納設置されているレール機構部に扉を取付けるためには、キャビネット内で複雑な連結作業を行う必要がある。また、両者の連結を簡便化するために、キャビネット本体内のレール機構部にネジで扉を固定することも試みられているが、狭い空間での施工性の悪さも相まって、取付け強度に不安がある。また、扉を所定位置まで持ち上げながらの作業となるため、単独施工者による取付けは不可能である。
【特許文献１】特開平１０−３１７８００号公報
【発明の開示】
【発明が解決しようとする課題】
【０００６】
本願発明は、以上のような事情を鑑みてなされたものであり、完成されたキャビネット本体内のレール機構部に、簡便かつ強固に扉を後付することのできる扉取付け構造を提供することを課題とする。
【課題を解決するための手段】
【０００７】
本願発明は、上記の課題を解決するために、第１には、キャビネットにおける懸垂スライド式扉の取付け構造であって、扉裏面に固定されたオス型部材の鉤型突起片が、キャビネット本体内のレール機構部に固定されたメス型部材の開口部に差し込み係止されていることを特徴とする。
【０００８】
第２には、メス型部材が、垂直面に開口部を有することを特徴とする。
【０００９】
第３には、メス型部材が段付折曲片であり、曲げ角部に開口部を有することを特徴とする。
【００１０】
第４には、オス型部材の鉤型突起片とメス型部材とがネジ固定されていることを特徴とする。
【発明の効果】
【００１１】
第１の発明によれば、扉裏面に固定されたオス型部材の鉤型突起片を、キャビネット本体内のレール機構部に固定されたメス型部材の開口部に差し込み係止するという簡単な作業によって、キャビネット本体に懸垂スライド式扉を設置現場で取付けることができる。また、扉はオス型部材とメス型部材との係止によって十分な取付け強度が確保される。
【００１２】
第２の発明によれば、メス型部材の開口部に対して、前方向からオス型部材の鉤型突起片を差し込み係止することができ、第３の発明によれば、メス型部材の開口部に対して、上方向からオス型部材の鉤型突起片を差し込み係止することができる。すなわち、キャビネット本体の形状や設置場所に応じて、扉の取付け方向を選択することが可能となり、施工性がさらに向上する。
【００１３】
第４の発明によれば、オス型部材の鉤型突起片とメス型部材とがネジ固定されているために、扉の取付け強度がさらに向上する。
【発明を実施するための最良の形態】
【００１４】
図１は、本願発明の扉取付け構造による扉１の取付け方法を例示した側断面図と、この扉取付け構造に用いるオス型部材２およびメス型部材３を例示した拡大斜視図である。
【００１５】
箱形に組み立て成形されたキャビネット本体４には、その天板４１によって覆われたレール機構部５が設置されており、扉１は、このレール機構部５に懸垂されてスライドする。
【００１６】
扉１には、オス型部材２が固定され、レール機構部５には、メス型部材３が固定されている。オス型部材２は、扉当接面２１から鉤型突起片２２が延設しており、この鉤型突起片２２をメス型部材３の開口部３１に差し込み係止することによって、扉１がキャビネット本体４に取付けられる。オス型部材２およびメス型部材３は、それぞれ金属板やＦＲＰ等の硬質樹脂からなるものを使用することができる。
【００１７】
オス型部材２は、扉当接面２１のネジ孔６１を介してネジにより扉１に固定され、メス型部材３はそのネジ孔６２を介してネジによりレール機構部５に固定される。オス型部材２およびメス型部材３は、それぞれ扉１およびキャビネット本体４の製造工程で固定されてもよく、キャビネット設置場所で固定されてもよい。メス型部材３をキャビネット設置場所で固定する場合も、扉１のないキャビネット本体４の外側からメス型部材３の固定作業が可能であるため、施工性が低下することはない。なお、これらの固定に使用するネジは、一般的なネジ、ボルト、ビス等を包含するものであり、ネジ孔６１、６２も使用するネジの種類等に応じて適宜な形状、構成とすることができる。例えば、ネジとしてボルトを使用する場合には、ネジ孔には鬼目ナット等を組込むようにしてもよい。
【００１８】
図1に例示したメス型部材３は、段付折曲片であり、その前方の垂直面３２に開口部３１が設けられている。従って、この開口部３１にオス型部材２の鉤型突起片２２を差し込むには、図１に例示したように、扉１を少し傾斜させて鉤型突起片２２の先端を開口部３１に差し込むようにする。鉤型突起片２２は、開口部３１に係止され、扉１が取付けられる。
【００１９】
メス型部材３は、キャビネット本体の形状やレール機構部５の構成等によって様々な形状を採用することができ、例えば折曲げ角のない垂直片であってもよい。
【００２０】
また、扉１の設置空間の上方に余裕がある場合には、図２に例示したように、段付折曲片であるメス型部材３の曲げ角部に開口部３１を設けることによって、上方向からオス型部材２の鉤型突起片２２を開口部３１に差し込むことができる。この場合には、扉１を略垂直に操作することによって、キャビネット本体４に取付けることができる。
【００２１】
さらに、図３に例示したように、オス型部材２の鉤型突起片２２と、メス型部材３の垂直面３２とをネジ７によって固定するようにしてもよい。これによって、扉１の取付け強度はさらに向上する。このようなネジ固定を行えるように、オス型部材２の鉤型突起片２２と、メス型部材３の垂直面３２には、拡大図に例示したように、互いに連通するネジ孔６３、６４を設けておくことが好ましい。
【００２２】
なお、ネジ７の固定はキャビネット本体４内の作業になるが、扉１は既にレール機構部５に係止固定されているので、扉１を支える必要はなく、ネジ孔６３、６４を介したネジ７の固定も短時間の作業で完了するため、作業者の負担は軽度である。
【００２３】
もちろん本願発明は以上の例によって限定されるものではなく、細部については様々な態様が可能であることは言うまでもない。
【図面の簡単な説明】
【００２４】
【図１】本願発明の扉取付け構造における扉取付け方法を例示した側断面図と、この扉取付け構造に用いるオス型部材およびメス型部材を例示した拡大斜視図である。
【図２】本願発明の扉取付け構造に用いる別のメス型部材を例示した斜視図である。
【図３】本願発明の扉取付け構造における別の扉取付け方法を例示した側断面図と、この扉取付け構造に用いるオス型部材およびメス型部材を例示した拡大斜視図である。
【符号の説明】
【００２５】
１扉
２オス型部材
２１扉当接面
２２鉤型突起片
３メス型部材
３１開口部
３２垂直面
４キャビネット本体
４１天板
５レール機構部
６１、６２、６３、６４ネジ孔
７ネジ
【図１】
2007315014.tif 000003
【図２】
2007315014.tif 000004
【図３】
2007315014.tif 000005